(57)【特許請求の範囲】
【請求項１】
レンズにより結像された画像を画像読取素子により読み取って画像データとして記録する撮像装置であって、
内部に収納可能な寸法の第１の媒体と、装着可能で、かつ、装着時に一部が外部に突出する第２の媒体とが選択的に装着可能なスロットと、
前記スロットの開口を覆うように開閉可能に設けられ、かつ、前記第２の媒体が前記スロットに装着された状態で閉じられたときに前記第２の媒体の前記一部を挿通させる切欠き部が形成された蓋部材と、
前記第１の媒体に装着可能で、前記蓋部材が閉じられた状態で前記切欠き部に係合する係合部材と、
を備えた撮像装置。
【請求項２】
前記切欠き部を被覆する被覆部材を備えた請求項１に記載の撮像装置。
【発明の詳細な説明】
【０００１】
【発明の属する技術分野】
本発明は、撮像装置に係り、特に、画像を画像データとして記録媒体に記録するデジタルカメラなどの撮像装置に関する。
【０００２】
【従来の技術】
一般に、撮像装置（例えば、デジタルカメラ）は、複数のレンズ群により結像された画像をＣＣＤ等の画像読取素子により読み取って画像データとして、スマートメディアやフロッピーディスクなどの記録媒体に記録する。
【０００３】
このようなデジタルカメラでは、画像データの記録中や読み込み中に記録媒体が本体から取り外されると、画像データが失われたり、記録媒体が壊れる恐れがある。そのため、従来より、アクセス中に記録媒体を取り外す動作を検知すると警告を発したり、アクセス中はスロットの蓋を機械的にロックして記録媒体を取り外し禁止にしたり、また、記録媒体を格納するスロットに埃が入るのを防止する目的で設けられた蓋が開けられると自動的に電源を遮断するなどのように構成して、記録媒体にアクセス中に記録媒体が取り外されるのを防止している。
【０００４】
近年、デジタルカメラで記録媒体に記録した画像データをパソコンに取り込んで各種補正や画像編集を行うことが一般的となってきている。一般に、デジタルカメラにより画像データが記録された記録媒体からパソコンに画像データを取り込むには、記録媒体を読取用ＰＣカードに装着し、このＰＣカードをパソコンにセットして、読取用ＰＣカードを介して画像データを取り込んでいる。
【０００５】
最近では、画像データをデジタルカメラからパソコンに取り込む際に、携帯電話（又はＰＨＳ；以下、パーソナル電話と称す。）がケーブルで接続されたカード状通信媒体や、本体の１部がカード状通信媒体となっているパーソナル電話や、ブルートゥース（Bluetooth）規格のＰＣカードやモデムカード等のカード状通信媒体をデジタルカメラに装着して、画像データをオフラインでパソコンに取り込むことが考えられている。
【０００６】
【発明が解決しようとする課題】
しかしながら、オフラインで画像データをパソコンに取り込む場合、本体の１部がカード状通信媒体となっているパーソナル電話をデジタルカメラに装着すると、電話本体がデジタルカメラ本体から突出した状態となり、また、パーソナル電話に接続されたカード状通信媒体をデジタルカメラに装着すると、カード状通信媒体に接続されたケーブルがデジタルカメラ本体から延出する状態となり、さらに、Bluetooth規格のＰＣカードやモデムカード等の無線を利用したカード状通信媒体をデジタルカメラに装着すると、カード状通信媒体に設けられたアンテナがデジタルカメラ本体から突出した状態となる。
【０００７】
上述した様に、デジタルカメラは読み込み中に記録媒体が取り外せないようにスロットの蓋の開放を検出すると自動的に電源を遮断したり、アクセス中はスロットの蓋を機械的にロックして記録媒体を取り外し禁止状態にしている。従って、パーソナル電話やカード状通信媒体をスロットに装着すると、スロットに設けられた蓋を閉めることができないため、デジタルカメラの駆動が停止してしまったり、アクセス禁止状態のままとなってしまうので、デジタルカメラにパーソナル電話や、カード状通信媒体を装着することができない、という問題がある。
【０００８】
そのため、上記のスロットの蓋の開閉状態に基づく制限をなくしたり、スロットの蓋を設けない構成とすることが考えられるが、記録媒体をスロットに装着した場合にアクセス中に記録媒体が取り外されて画像データが失われたり、記録媒体が壊れたり、さらに、スロットに何も装着しない場合にはスロット内に埃や塵が入るなどの本質的な問題を解決することができない、という難点がある。
【０００９】
以上のことから、本発明は、記録媒体にアクセス中は記録媒体の脱着をできないようにしつつ、パーソナル電話やカード状通信媒体を装着することができる撮像装置を提供することを目的とする。
【００１０】
【課題を解決するための手段】
上記目的を達成するために請求項１に記載の発明は、レンズにより結像された画像を画像読取素子により読み取って画像データとして記録する撮像装置であって、内部に収納可能な寸法の第１の媒体と、装着可能で、かつ、装着時に一部が外部に突出する第２の媒体とが選択的に装着可能なスロットと、前記スロットの開口を覆うように開閉可能に設けられ、かつ、前記第２の媒体が前記スロットに装着された状態で閉じられたときに前記第２の媒体の前記一部を挿通させる切欠き部が形成された蓋部材と、前記第１の媒体に装着可能で、前記蓋部材が閉じられた状態で前記切欠き部に係合する係合部材と、を備えている。
【００１１】
請求項１の発明では、スロットの開口を覆う蓋部材には、第２の媒体を装着したときにスロットから突出する第２の媒体の一部を挿通させる切欠き部が形成されているため、前記第２の媒体を装着したときに突出部分があっても蓋部材の開閉に邪魔になることがなく、蓋部材を閉じることができる。従って、スロット内に埃や塵が入るのを防止できる。
【００１２】
さらに、第１の媒体の装着時は勿論、第２の媒体の装着時も蓋部材を閉じることができるので、蓋部材を閉めないとアクセスができないように構成して第１の媒体又は第２の媒体にアクセス中の取り外し動作を禁止するように構成したり、アクセス中に蓋が開けられると電源を遮断するように構成できる。もちろん、蓋部材を開けないと第１の媒体又は第２の媒体を取り外すことができないので、ユーザがアクセス中であることに気付かずに、第１の媒体又は第２の媒体を取り外すのを防止することもできる。
【００１３】
なお、本発明で述べる第１の媒体及び第２の媒体とは、例えば、スマートメディアやフロッピーデスクなどの画像データが記録される記録媒体、及び、例えば、パーソナル電話がケーブルで接続されるカード状通信媒体や、本体の１部がカード状通信媒体となっているパーソナル電話、ブルートゥース（Bluetooth）規格のＰＣカードやモデムカード等のカード状通信媒体等の外部機器と通信するための通信媒体等、撮像装置のスロットに装着可能な全ての媒体を含んでいる。
【００１４】
なお、好ましくは、スロットに第１の媒体が装着されている場合やスロット内に何も装着されていない場合には、切欠き部を塞ぐように構成すると良い。
【００１５】
例えば、スロット内に何も装着されていない場合には、前記蓋部材が閉じられた状態で前記切欠き部に嵌合して切欠き部を塞ぐ閉塞部材や、前記第１の媒体に装着可能で、前記蓋部材が閉じられた状態で前記切欠き部に係合する係合部材を用い、前記第１の媒体をスロットに装着する場合に係合部材を前記第１の媒体に装着された状態で、前記第１の媒体の装着時に切欠き部を塞ぐように構成することができる。
【００１６】
また、別の構成としては、請求項２に記載したように、前記切欠き部を被覆する被覆部材を撮像装置に設けるようにすることができる。例えば、ゴム製や樹脂製の伸縮性を有する布状部材や蛇腹状の布状部材を切欠き部の近傍に折り畳み可能に設け、切欠き部を覆う時だけ展開する構成としたり、切欠き部の近傍にスライド可能に平板状部材を設け、切欠き部を覆う時には平板状部材をスライドさせる構成とすることができる。
【００２７】
【発明の実施の形態】
（第１の実施の形態）
以下、図１を参照して本発明の第１の実施の形態を詳細に説明する。本発明が適用されたデジタルカメラ１０は、図１に示すように、本体１１が略箱型であり、正面から見て左側には、本体１１の把持を容易とするための突起（把持部）が形成されている。
【００２８】
本体１１の正面側には、図１に示すように、ズームレンズ１４、撮影範囲等を目視で確認するためのファインダ１５、低照度での撮影等の場合に補助光を発するためのストロボ１６が取付けられている。
【００２９】
また、本体１１の上面には、正面から見て左側にモードダイヤル４７、及び電源スイッチ２１が設けられ、モードダイヤル４７の中央部がシャッタボタン１２となっている。
【００３０】
モードダイヤル４７は、デジタルカメラの動作モードを選択するダイヤルであり、例えば、オート撮影モード、マニュアル撮影モード、セルフタイマー撮影モード、再生モード、パソコンに接続して画像を出力するＰＣモード及び各種機能の初期条件を設定するセットアップ項目設定モードのうちのいずれか１つを選択する。
【００３１】
また、本体１１の背面の下方側には、図示はしないがＬＣＤから成るカラーのディスプレイ４６（図４参照）が取付けられており、ディスプレイ４６の上方側には、モノクロの液晶表示パネル、ストロボボタン、十字ボタン（図４参照）、及びメニュー実行ボタン２５（図４参照）等の各種選択ボタンが設けられている。
【００３２】
ディスプレイ４６は、画像表示指示がある場合に、後述するメモリ４２に保存された画像データやメモリーカード１８から読み込んだ画像データに基づいて画像を画面全体に表示したり、複数の縮小画像を並べて表示（以下、サムネイル表示と称す。）したり、各種機能選択画面を表示する。液晶表示パネルは、動作モード、画質、バッテリー量、ストロボの発光／非発光、撮影可能枚数等デジタルカメラの現在の設定を表示する。
【００３３】
十字ボタンは、ディスプレイ４６が各種項目選択画面のときにディスプレイ４６に表示されたボタンを選択したり、カーソルを動かすためのボタンである。また、ストロボボタンはストロボを強制発光するときに強制発光指示を出したり、ストロボを発光禁止するときに発光禁止指示を出すボタンであり、メニュー実行ボタンは、ディスプレイ４６に表示されて十字ボタンで選択された項目の実行指示を出すボタンである。
【００３４】
また、本体１１の正面から見て右側の側面には、スマートメディアなどの情報記憶媒体としてのメモリーカード１８、および、ＰＨＳなどのパーソナル電話と接続ケーブル１３で接続され、画像データをオフラインで送信するための通信用ＰＣカード１７のいずれか一方が選択的に装着可能なスロット２３が設けられている。なお、メモリーカード１８は、本発明の第１の媒体に対応し、通信用ＰＣカード１７は本発明の第２の媒体に対応する。
【００３５】
このスロット２３には、埃などのゴミを進入を防ぐ為に開閉可能な蓋２８ａが設けられており、この蓋２８ａには、通信用ＰＣカード１７がスロット２３に装着されたときに接続ケーブルとの干渉を避けるための切欠き２６が設けられている。また、スロット２３の近傍には開閉状態検出センサ２９ａが設けられており、開閉状態検出センサ２９ａは、蓋２８ａが閉じられるときに押圧されてオンされ電気信号を後述する検知部３２に出力して蓋２８ａが閉じられたことを検出する。
【００３６】
さらに、蓋２８ａにの切欠き２６を塞ぐために、本実施の形態では、ゴム又は樹脂などの可撓性部材よりなるキャップ３３ａが設けられている。このキャップ３３ａには、両側面に凸部３３ｂが設けられており、スロット２３に何も装着されていないときには凸部３３ｂが切欠き２６に引っ掛かって切欠き２６を塞ぎ、スロット２３にメモリーカード１８が装着されるときには、図１に示すように、予めメモリーカード１８に装着されてメモリーカード１８の装着時に切欠き２６を塞ぐように構成されている。
【００３７】
また、図２にデジタルカメラ１０の電気系の構成を示す。ズームレンズ１４は、詳しくはステッピングモータ等の駆動源の駆動力により合焦させる機構（オートフォーカス（ＡＦ）機構）を備えたズームレンズ（焦点距離可変レンズ）であり、ズームレンズ１４のＡＦ機構及びズーム機構は駆動回路２４ａによって駆動される。なお、駆動回路２４ａはストロボ１６、及び後述する撮像デバイス３０の駆動も制御する。また、ズームレンズ１４に代えて、ＡＦ機構のみを備えた焦点距離固定レンズを用いてもよい。
【００３８】
本体１１内部のズームレンズ１４の焦点位置に相当する位置には、エリアＣＣＤから成り電子シャッタ機構が設けられた撮像デバイス３０が配置されており、被写体から反射してズームレンズ１４に入射された光が撮像デバイス３０の受光面に結像されるようになっており、図示しない測光部で測定された測光値に基づく露光制御値に応じて、入射する光の光量に対応した電荷を蓄積し、蓄積された電荷、すなわち画像信号を、図示しない増幅器を介してアナログ信号処理部３６に出力する。
【００３９】
この撮像デバイス３０も駆動回路２４ａによって駆動され、駆動回路２４ａは、タイミング信号発生回路２７によって発生されたタイミング信号に同期したタイミングで撮像デバイス３０を駆動して、画像信号（受光面上にマトリクス状に配列された多数個の光電変換セルの各々における受光量を表す信号）を出力する。なお、撮像デバイス３０は本発明の画像読取素子に対応している。
【００４０】
タイミング信号発生回路２７は、マイコンにより構成された制御部２２により制御され、撮像デバイス３０やＡ／Ｄ変換部３８等を動作させるための各種のタイミング信号（クロック信号）を発生する。
【００４１】
アナログ信号処理部３６は、撮像デバイス３０から出力され、増幅器で増幅された画像信号に所定のアナログ信号処理（例えばノイズ低減処理等）を施し、Ａ／Ｄ変換部３８へ出力する。Ａ／Ｄ変換部３８は、入力されたアナログ信号をデジタル信号に変換してデジタル信号処理部４０に出力する。デジタル信号処理部４０は、入力されたデジタル信号に所定のデジタル信号処理（例えばシェーディング補正処理等）を施し、画像データとしてバス８８を介してメモリ４２に出力する。
【００４２】
メモリ４２は、データバスを介してデジタル信号処理部４０から出力された画像データを一時的に保存する。このとき、メモリーカード１８に書き込み指示があれば、検知部３２によって蓋が閉じられたことが検知された場合に限って記憶した画像データを圧縮伸張部４４で圧縮して外部インターフェース（外部Ｉ／Ｆ）４３を介して書き込む。なお、圧縮伸張部４４で圧縮せずに書き込むようにも設定できる。
【００４３】
また、スロット２３にメモリーカード１８が装着されていない状態で書き込み指示が出された場合や、スロット２３に通信用ＰＣカード１７が装着されている状態で書き込み指示が出された場合や、内蔵メモリ４５に書き込み指示が出された場合は、メモリ４２に記憶した画像データを内蔵メモリ４５に書き込む。この時、圧縮伸張部４４で圧縮して書き込むようにしたり、圧縮せずに書き込むように設定できる。なお、外部Ｉ／Ｆ４３にはデジタルＩＯポート３１が設けられており、画像データをデジタルＩＯポート３１に接続された他の機器にも出力できるように構成している。
【００４４】
スロット２３に装填されたメモリーカード１８又は内蔵メモリ４５に記憶されている画像データによる画像の再生（表示）が指示された場合には、メモリーカード１８又は内蔵メモリ４５から画像データが読み出される。なお、メモリーカード１８から画像を読み出す場合は、検知部３２によって蓋が閉じられたことが検知された場合に限ってメモリーカード１８から画像を読み出す。
【００４５】
読み出された画像データが圧縮されて格納されていた場合には、被圧縮画像データは圧縮伸張部４４で伸張（解凍）された後にメモリ４２に記憶される。そして、メモリ４２に記憶された画像データをデジタル信号処理部４０が液晶駆動回路２４ｂに転送してディスプレイ４６に画像を表示（再生）させる。
【００４６】
なお、上記の実施の形態のデジタルカメラでは、メモリーカード１８を装着した場合も通信用ＰＣカード１７を装着した場合も蓋２８ａを閉めることができるので、開閉状態検出センサ２９ａが押圧されてオンされ電気信号を検知部３２に出力して蓋２８ａが閉じられたことを検出された場合に、スロットに装着されたカードにアクセスしてカードの種類がメモリーカード１８か通信用ＰＣカード１７かを判断した後、判断されたカードの種類に応じた処理を行うように構成することができる。
【００４７】
（第２の実施の形態）
また、図３〜図５を参照して本発明の第２の実施の形態を詳細に説明する。第２の実施の形態のデジタルカメラは第１の実施の形態のデジタルカメラと殆ど同一の構成であるので、異なる個所のみ説明する。
【００４８】
第２の実施の形態のデジタルカメラでは、スロット２３の蓋２８ｂの構造が第１の実施の形態のデジタルカメラと異なり、図３（Ａ）〜図３（Ｃ）に示すように、蝶番状に構成されている。
【００４９】
すなわち、第２の実施の形態の蓋２８ｂは、スロット２３に沿って設けられた収納溝３７（図４参照）内を深さ方向に摺動可能に設けられた第１の片３４ａと、この第１の片３４ａに対して回動可能に設けられた第２の片３４ｂとを備えており、図３（Ａ）に示すように、第１の片３４ａが最上位置に配置されたときに第２の片３４ｂを回動させることによりスロット２３の開口を覆うことができる。
【００５０】
また、第１の片３４ａは、スロット２３の近傍にイジェクトスイッチ３５ａと並んで設けられた押圧スイッチ３５ｂに連結されている。押圧スイッチ３５ｂは、図４に示すように、本体１１内部に設けられた棒状のレバー３９の一端側に連結する棒部材により支持されている。レバー３９は、支点を中心に回転可能に設けられており、レバー３９の他端側には第１の片３４ａの底部を支持する支持部材が連結されている。
【００５１】
従って、図３（Ａ）及び図３（Ｂ）に示すように、第１の片３４ａが最上位に配置された状態では、押圧スイッチ３５ｂは押圧状態のままであり、図３（Ｃ）に示すように、第２の片３４ｂが第１の片３４ａに対して一直線状に開かれた状態で収納溝３７に押し込まれると、第１の片３４ａが最下位に配置された状態となり、レバー３９の他端側が下方に押し込まれて一端側が上方に押し出されて押圧スイッチ３５ｂが突出した状態となる。
【００５２】
従って、スロット内に装着した媒体がスロットから突出しない形状であったり、スロット内に何も装着しない場合などのように、蓋２８ｂを閉められる状態では、押圧スイッチ３５ｂを押し込んで第１の片３４ａを最上位に配置して第２の片３４ｂを回動可能にし、スロット２３の開口を覆うようにする。なお、図示はしないがスロット２３の開口を閉じたときに、第２の片３４ｂを本体１１に対して解除可能に係止する係止部を設けることにより、第２の片３４ｂが自然に開放してしまうのを防止できる。
【００５３】
このような係止部としては、例えば、第２の片３４ｂがスロット２３の開口を覆うように配置されたときに、本体１１側及び第２の片３４ｂ側の少なくとも一方に設けられた略Ｌ字状係止部により第２の片３４ｂと本体１１とを係止する構成とするとよい。さらに、第２の片３４ｂに開放方向に付勢力を与えるバネやゴムなどの弾性部材を設けた構成とすれば、係止部による係止を解除したときに弾性部材による付勢力で第２の片３４ｂが自動的に開放することになり、好ましい。
【００５４】
また、イジェクトスイッチ３５ａは、メモリーカード１８又は通信用ＰＣカード１７等のメディアカードを取り出すためのスイッチであり、押圧スイッチ３５ｂと同様なてこの機構により、メディアカードを装着すると、イジェクトスイッチ３５ａが飛び出た状態となり、イジェクトスイッチ３５ａを押圧すると、メディアカードがスロットから飛び出す様に構成されている。
【００５５】
また、スロット２３近傍には、開閉状態検出センサ２９ａと収納検出センサ２９ｂとが設けられている。開閉状態検出センサ２９ａは、スロット２３に対して蓋２８ｂが設けられた側と逆側で、第２の片３４ｂが回動してスロット２３の開口を覆ったときに第２の片３４ｂに設けられた凸部により押圧される位置に配置されている。開閉状態検出センサ２９ａは押圧されるとオンされて検知部３２に電気信号を出力する。
【００５６】
また、収納検出センサ２９ｂは、スロット２３に対して蓋２８ｂが設けられた側で第２の片３４ｂが収納溝３７に押し込まれて固定されたときに第２の片３４ｂに押圧される位置に配置されている。収納検出センサ２９ｂも開閉状態検出センサ２９ａと同様に、押圧されるとオンされて検知部３２に電気信号を出力する。
【００５７】
ここで、制御部２２によるデジタルカメラの制御について図５のフローチャートを参照しながら説明する。なお、ここでは、メモリーカード１８を装着した場合は蓋を閉じることが可能であるが、通信用ＰＣカード１７を装着した場合は蓋を閉じることができない場合について説明する。
【００５８】
まず、ステップ１００では、電源がオンになったかを判断し、電源がオンとなったと判断した場合、次のステップ１０２でスロット２３にカードが装着されているかを判断する。
【００５９】
スロット２３にカードが装着されていると判断された場合、ステップ１０４に移行して装着されたカードにアクセスし、システム領域のコンフィグレーションを読みとってステップ１０６で、装着されたカードがメモリーカード１８かどうかを判断する。
【００６０】
ステップ１０６で、装着されたカードがメモリーカード１８でないと判断された場合は、後述するステップ１２０に移行し、メモリーカード１８であると判断された場合は、ステップ１０８に移行して開閉状態検出センサ２９ａから電気信号が検知部３２に出力されているかを判断する。
【００６１】
電気信号が検知部３２に出力されていない場合は、蓋が開状態であるのでステップ１１２に移行してメモリーカード１８へのアクセスを禁止すると共に、ディスプレイに警告を出してステップ１０８に戻り、開閉状態検出センサ２９ａから電気信号が検知部３２に出力されているかを判断する。電気信号が検知部３２に出力されていると判断された場合は、ステップ１１０でメモリーカード１８へのアクセスを許可して本ルーチンを終了する。
【００６２】
一方、ステップ１０２でスロット２３にカードが装着されていないと判断された場合、ステップ１１４に移行して開閉状態検出センサ２９ａから電気信号が検知部３２に出力されているかを判断する。
【００６３】
ステップ１１４で電気信号が検知部３２に出力されていると判断された場合は、ステップ１１６で画像データの記録を内臓メモリで行うように設定した後、本ルーチンを終了する。また、ステップ１１４で電気信号が検知部３２に出力されていないと判断された場合は、ステップ１１８に移行して、収納検出センサ２９ｂから蓋収納検出信号が検知部３２に出力されているかを判断する。
【００６４】
ステップ１１８において、収納検出センサ２９ｂから蓋収納検出信号が検知部３２に出力されていないと判断された場合は、ステップ１０２に移行して上述した処理を繰り返す。また、収納検出センサ２９ｂから蓋収納検出信号が検知部３２に出力されていると判断された場合は、スロットに通信用ＰＣカードが装着されていると判断して、ステップ１２０に移行して電気信号の出力がなくでも無視するように設定し、次のステップ１２２で通信用ＰＣカード１７のドライバを読み出して、ステップ１２４で通信用ＰＣカードを駆動して本ルーチンを終了する。
【００６５】
このように、第２の実施の形態では、スロットに装着されるカードの種類がメモリーカード１８であれば、蓋２８ｂをしてメモリーカード１８にアクセス中にメモリーカード１８の脱着を不能とし、また、スロットに装着されるカードの種類が通信用ＰＣカード１７であれば、蓋２８ｂを収納溝３７に収納して蓋２８ｂを閉めなくても通信用ＰＣカード１７を使用可能に構成している。すなわち、スロット２３に装着されるカードの種類に応じて電気的な設定を変更しているので、蓋２８ｂが邪魔になってアクセス不能となることを防止できる。
【００６６】
また、電源をオンしてからスロット２３にカードが装着されているか、及びスロット２３にカードが装着されていない場合に、蓋２８ｂの開閉状態を検知して、蓋２８ｂが開かれなかったら内臓メモリに画像データを記憶するように設定し、蓋２８ｂが開いた後、収納溝３７に収納されたら通信用ＰＣカードであると判断して直ちにドライバを読み込む等のように蓋２８ｂの開閉に合わせて電気的な制御を決定しているため、処理速度が速くなるという利点もある。
【００６７】
さらに、様々な種類の記録媒体又は通信媒体を撮像装置に交換可能に装着できるので、デジタルカメラの機能が充実すると言う利点もある。
【００６８】
なお、第２の実施の形態では、第２の片３４ｂを平板状としたが、ゴムや樹脂や蛇腹などの伸縮性又は変形可能な材料で構成してもよい。また、第２の実施の形態では、第１の片３４ａが収納溝３７内を摺動して第２の片３４ｂを収納溝３７内に収納する構成としたが、この構成に限らず、例えば、収納溝３７の底部に伸縮性のカバー部材を設け、カバー部材が伸張した状態でスロット２３を覆うように構成することも可能である。
【００６９】
この構成によれば、カバー部材が覆いを解除したときにカバー部材自身の復元力により収納溝３７にカバー部材が収納されるように構成することもできる。もちろん、ユーザが手動で収納溝３７に収納するように構成することもできる。
【００７０】
（第３の実施の形態）
また、図６及び図７を参照して本発明の第３の実施の形態を詳細に説明する。第３の実施の形態のデジタルカメラは第１の実施の形態のデジタルカメラと殆ど同一の構成であるので、異なる個所のみ説明する。
【００７１】
第３の実施の形態のデジタルカメラでは、スロット２３の蓋２８ａが第１の実施の形態のデジタルカメラと異なり、図６（Ａ）及び図６（Ｂ）に示すように、各々独立して開閉動作を行う３つの部分に分割されている。
【００７２】
すなわち、第３の実施の形態の蓋２８ｃは、スロット２３の一方の端部を覆う第１扉部５０ａ、スロット２３の中央部を覆う第２扉部５０ｂ、スロット２３の他方の端部を覆う第３扉部５０ｃの３つの扉部により構成されている。
【００７３】
図６（Ａ）に示すように、中央の第２扉部５０ｂは、通信用ＰＣカード１７が装着されたときに、スロット２３から突出する接続ケーブル１３のコネクタ部分に対応する位置に設けられており、第１扉部５０ａ及び第３扉部５０ｃは、第２扉部５０ｂの両側の空いた領域を覆うようにそれぞれ設けられている。また、第１扉部５０ａ及び第３扉部５０ｃには、スライド式のロック５２ａ、５２ｂが設けられており、ユーザによりロック５２ａ、５２ｂがスライドされることにより第１扉部５０ａ及び第３扉部５０ｃが閉じた状態で保持できるようになっている。
【００７４】
また、スロット２３に対して蓋２８ｂが設けられた側と逆側で、第２扉部５０ｂが回動してスロット２３の開口を覆ったときに第２扉部５０ｂに設けられた凸部により押圧されるスロット２３近傍の位置には、開閉状態検出センサ２９ａが設けられている。この開閉状態検出センサ２９ａは第２の実施の形態と同様に、凸部により押圧されるとオンされて検知部３２に電気信号を出力する。
【００７５】
ここで、制御部２２によるデジタルカメラの読み出し制御について図７のフローチャートを参照しながら説明する。なお、ここでは、メモリーカード１８を装着した場合は、第１扉部５０ａ、第２扉部５０ｂ、及び第３扉部５０ｃを全て閉じることができるが、通信用ＰＣカード１７を装着した場合は第２扉部５０ｂを閉じることができない場合について説明する。
【００７６】
まず、ステップ２００では、電源がオンになったかを判断し、電源がオンとなったと判断した場合、次のステップ２０２でスロット２３にカードが装着されているかを判断する。
【００７７】
スロット２３にカードが装着されていないと判断された場合、ステップ２１４に移行して、開閉状態検出センサ２９ａから電気信号が検知部３２に出力されて第２扉部５０ｂが閉じているかを判断する。
【００７８】
第２扉部５０ｂが閉じていない場合は、ステップ２０２に戻り上述した処理を繰り返す。また、第２扉部５０ｂが閉じている場合は、ステップ２１６に移行して画像データの記録を内臓メモリで行うように設定した後、本ルーチンを終了する。
【００７９】
一方、ステップ２０２でスロット２３にカードが装着されていると判断された場合、ステップ２０４に移行して開閉状態検出センサ２９ａから電気信号が検知部３２に出力されて第２扉部５０ｂが閉じているかを判断する。
【００８０】
第２扉部５０ｂが閉じている場合は、ステップ２０６でスロット２３に装着されたカードはメモリーカード１８であると判断して次のステップ２０８で３つの扉の全てが閉じられているかを判断する。なお、第１扉部５０ａ及び第３扉部５０ｃにも第２扉部５０ｂと同様の開閉状態検出センサ（図示せず）を設け、全ての開閉状態検出センサから蓋閉じ信号が出力されることにより３つの扉の全てが閉じられていると判断できる。
【００８１】
ステップ２０８で３つの扉の全てが閉じられていないと判断すると、ステップ２１２に移行してメモリーカード１８へのアクセスを禁止すると共に、ディスプレイに警告を出してステップ２０８に戻り、３つの扉の全てが閉じられたかを判断する。ステップ２０８で３つの扉の全てが閉じられていると判断されると、ステップ２１０でメモリーカード１８へのアクセスを許可して本ルーチンを終了する。
【００８２】
一方、ステップ２０４で第２扉部５０ｂが閉じていないと判断されると、ステップ２１８で装着されたカードの種類が通信用ＰＣカードであると判断してステップ２２０に移行して電気信号の出力がなくでも無視するように設定し、次のステップ２２２で通信用ＰＣカード１７のドライバを読み出して、ステップ２２４で通信用ＰＣカードを駆動して本ルーチンを終了する。
【００８３】
このように、第３の実施の形態では、スロット２３を覆う蓋２８ｃが３つの扉部から構成されているため、スロット２３に装着したカードの突出部分に対応する位置の扉部だけを開放状態にして他の扉部を閉状態にするというように、部分的に蓋２８ｃの開閉態を変更できる。
【００８４】
そのため、スロット２３にカードが装着されている場合に、接続ケーブル１３のコネクタ部分に対応する位置に設けられた第２の扉部５０ｂの開閉状態によりスロットに装着されたカードの種類を判断して、判断されたカードの種類に応じて電気的制御を決定できる。このようにすることで、電気的な処理速度を速くできる。
【００８５】
また、コネクタの連結位置が異なる種々の通信用ＰＣカードまたはメモリーカードに対して対応させることができるという利点もある。
【００８６】
なお、第１の実施の形態から第３の実施の形態では、メモリーカード１８を装着した場合は蓋を閉じることが可能であるが、通信用ＰＣカード１７を装着した場合は蓋を閉じることができない場合について説明したが、本発明はこの場合に限定するものではなく、例えば、第１の種類のメモリーカードを装着した場合は蓋を閉じることが可能であるが、第２の種類のメモリーカードを装着した場合は蓋を閉じることができない場合や、第１の種類の通信用ＰＣカードを装着した場合はスロットから突出する部分が中央部であるが、第２の種類の通信用ＰＣカードを装着した場合はスロットから突出する部分が端部となる等のように、スロットから突出する部分が異なる位置のカードを装着する場合などに適用できる。
【００８７】
また、上記第１の実施の形態から第３の実施の形態では、デジタルカメラにスロットを１つ設けた場合の構成について説明したが、本発明はスロットを１つ設けた構成に限定せず、デジタルカメラにスロットを２つ設けた構成とした場合のスロットの蓋にも適用することが可能である。
【００８８】
この場合、２つのスロットのうちの一方を記録媒体読取り用スロット、他方を通信用ＰＣカード挿入用スロットとしても良いし、２つのスロットの両方または一方を記録媒体の読取りと通信用ＰＣカードの駆動の両方を行えるように構成することもできる。なお、スロットを２つ設けた構成とした場合、記録媒体と通信用ＰＣカードとの両方を同時にデジタルカメラに装着できるので、内臓メモリを設けない構成とすることも可能である。
【００８９】
【発明の効果】
以上説明したように、請求項１の発明によれば、スロットに装着されたときにスロットから突出する部分があっても蓋部材の開閉に邪魔になることがなく、蓋部材を閉じることができるという効果に加え、スロットに第１の媒体が装着されている場合やスロット内に何も装着されていない場合にも塵や埃の進入を防ぐことができる、という効果がある。
【００９０】
また、請求項２の発明によれば、スロットに第１の媒体が装着されている場合やスロット内に何も装着されていない場合にも塵や埃の進入を防ぐことができる、という効果がある。
【図面の簡単な説明】
【図１】本発明の第１の実施の形態のデジタルカメラの斜視図である。
【図２】図１に示したデジタルカメラの電気系の構成を示すブロック図である。
【図３】本発明の第２の実施の形態のデジタルカメラの蓋の部分斜視図であり、図３（Ａ）は蓋を閉じた状態を示す説明図、図３（Ｂ）は蓋を開けた状態を示す説明図、図３（Ｃ）は蓋を収納した状態示す説明図である。
【図４】図３に示した蓋と押圧スイッチとの連結構造を説明する説明図である。
【図５】図３に示したデジタルカメラの制御部による制御を示すフローチャートである。
【図６】本発明の第３の実施の形態のデジタルカメラの蓋の部分斜視図であり、図６（Ａ）は蓋を開けた状態を示す説明図、図６（Ｂ）は蓋を閉じた状態を示す説明図である。
【図７】図６に示したデジタルカメラの制御部による制御を示すフローチャートである。
【符号の説明】
１０  デジタルカメラ
１１  本体
１２  シャッタボタン
１３  接続ケーブル
１４  ズームレンズ
１５  ファインダ
１６  ストロボ
１７  通信用ＰＣカード
１８  メモリーカード
２１  電源スイッチ
２２  制御部
２３  スロット
２４ａ      駆動回路
２４ｂ      液晶駆動回路
２５  メニュー実行ボタン
２７  タイミング信号発生回路
２８ａ、２８ｂ、２８ｃ  蓋
２９ａ      開閉状態検出センサ
２９ｂ      収納検出センサ
３０  撮像デバイス
３１  デジタルＩ／Ｏポート
３２  検知部
３３ａ      キャップ
３３ｂ      凸部
３４ａ      第１の片
３４ｂ      第２の片
３５ａ      イジェクトスイッチ
３５ｂ      押圧スイッチ
３６  アナログ信号処理部
３７  収納溝
３８  Ａ／Ｄ変換部
３９  レバー
４０  デジタル信号処理部
４２  メモリ
４３  外部Ｉ／Ｆ
４４  圧縮伸張部
４５  内蔵メモリ
４６  ディスプレイ
４７  モードダイヤル
５０ａ      第１扉部
５０ｂ      第２扉部
５０ｃ      第３扉部
５２ａ      ロック
８８  バス
【図１】
0004249876.tif 000002
【図２】
0004249876.tif 000003
【図３】
0004249876.tif 000004
【図４】
0004249876.tif 000005
【図５】
0004249876.tif 000006
【図６】
0004249876.tif 000007
【図７】
0004249876.tif 000008